(57)【要約】【課題】取り扱いが容易でかつ簡単な構成で無線通信装置の二次電池を充電することができるとともに、無線通信装置や充電器を接続対象機器と一体で管理できる無線通信装置、充電器、及び充電器兼無線通信装置を提供する。【解決手段】第１接続対象機器と第２接続対象機器との間で伝送される信号と無線信号との変換を行う伝送回路１６と、伝送回路１６に電力を供給する二次電池１８と、伝送回路１６及び二次電池１８が並列に接続され、第１接続対象機器の接続コネクタに着脱自在に挿入されるプラグ１２とを備え、プラグ１２は、第１接続対象機器の接続コネクタに挿入された場合には伝送回路１６との間で信号を入力又は出力する信号端子として機能し、充電器の充電コネクタに挿入された場合には二次電池１８を充電する充電端子として機能する。【選択図】図５Ａ
2017103713.tif 000002
【特許請求の範囲】
【請求項１】
第１接続対象機器に接続され、第２接続対象機器に接続された他の無線通信装置との間で無線通信を行う無線通信装置であって、
前記第１接続対象機器と前記第２接続対象機器との間で伝送される信号と無線信号との変換を行う伝送回路と、
前記伝送回路に電力を供給する二次電池と、
前記伝送回路及び前記二次電池が並列に接続され、前記第１接続対象機器の接続コネクタに着脱自在に挿入される接続端子と、を備え、
前記接続端子は、前記第１接続対象機器の接続コネクタに挿入された場合には前記伝送回路との間で信号を入力又は出力する信号端子として機能し、充電器の充電コネクタに挿入された場合には前記二次電池を充電する充電端子として機能する、
無線通信装置。
【請求項２】
前記接続端子に接続されるラインは前記二次電池に向かう第１分岐ラインと前記伝送回路に向かう第２分岐ラインとに分岐され、
前記第１分岐ラインに高周波チョークコイルが設けられ、
前記第２分岐ラインにコンデンサが設けられている、
請求項１に記載の無線通信装置。
【請求項３】
前記第１分岐ラインに前記二次電池から前記接続端子に向かう電流の流れを阻止するダイオードが設けられている、
請求項２に記載の無線通信装置。
【請求項４】
前記第１分岐ラインに前記ダイオードと並列に抵抗が接続されている、
請求項３に記載の無線通信装置。
【請求項５】
前記抵抗が接続された並列接続ラインには開閉可能なスイッチが設けられている、
請求項４に記載の無線通信装置。
【請求項６】
前記無線通信装置は、無線送信機及び無線受信機の少なくともいずれかとして機能する、
請求項１〜５のいずれか１項に記載の無線通信装置。
【請求項７】
前記第１接続対象機器及び前記第２接続対象機器のいずれか一方の接続対象機器が電気楽器であり、他方の接続対象機器が音響機器である、
請求項１〜６のいずれか１項に記載の無線通信装置。
【請求項８】
無線通信装置の二次電池を充電するための電源回路と、
第１無線通信装置の接続端子が着脱自在に挿入される第１無線通信装置用接続コネクタと、
第２無線通信装置の接続端子が着脱自在に挿入される第２無線通信装置用接続コネクタと、
接続対象機器の接続コネクタに着脱自在に挿入される接続対象機器用接続端子と、
前記第１無線通信装置用接続コネクタに前記第１無線通信装置の接続端子が挿入されたか否かに応じて、前記第１無線通信装置用接続コネクタと前記第２無線通信装置用接続コネクタとに共通に接続する共通接続ラインの接続先を、前記接続対象機器用接続端子に接続された信号ラインと前記電源回路に接続された電源ラインとの間で選択的に切り替える切替手段と、
を備える充電器。
【請求項９】
前記切替手段は、前記第１無線通信装置用接続コネクタに前記第１無線通信装置の接続端子が挿入された場合には前記共通接続ラインの接続先を前記電源ラインに切り替え、前記第１無線通信装置用接続コネクタに前記第１無線通信装置の接続端子が挿入されていない場合には前記共通接続ラインの接続先を前記信号ラインに切り替える、
請求項８に記載の充電器。
【請求項１０】
第１接続対象機器に接続され、第２接続対象機器に接続された他の無線通信装置との間で無線通信を行う充電器兼無線通信装置であって、
前記第１接続対象機器と前記第２接続対象機器との間で伝送される信号と無線信号との変換を行う伝送回路と、
前記伝送回路に電力を供給し、かつ他の無線通信装置の二次電池を充電するための電源回路と、
前記伝送回路にコンデンサを介して接続され、前記他の無線通信装置の接続端子が着脱自在に挿入される無線通信装置用接続コネクタと、
前記第１接続対象機器の接続コネクタに着脱自在に挿入される接続対象機器用接続端子と、
前記無線通信装置用接続コネクタに前記他の無線通信装置の接続端子が挿入されたか否かに応じて、前記無線通信装置用接続コネクタと前記伝送回路とに共通に接続する共通接続ラインの接続先を、前記接続対象機器用接続端子に接続された信号ラインと前記電源回路に接続された電源ラインとの間で選択的に切り替える切替手段と、
を備える充電器兼無線通信装置。
【請求項１１】
前記切替手段は、前記無線通信装置用接続コネクタに前記他の無線通信装置の接続端子が挿入された場合には前記共通接続ラインの接続先を前記電源ラインに切り替え、前記無線通信装置用接続コネクタに前記他の無線通信装置の接続端子が挿入されていない場合には前記共通接続ラインの接続先を信号ラインに切り替える、
請求項１０に記載の充電器兼無線通信装置。
【請求項１２】
前記充電器兼無線通信装置は、無線送信機及び無線受信機の少なくともいずれかとして機能する、
請求項１０又は１１に記載の充電器兼無線通信装置。
【請求項１３】
前記第１接続対象機器及び前記第２接続対象機器のいずれか一方の接続対象機器が電気楽器であり、他方の接続対象機器が音響機器である、
請求項１０〜１２のいずれか１項に記載の充電器兼無線通信装置。
【発明の詳細な説明】
【技術分野】
【０００１】
本発明は、無線通信装置、充電器、及び充電器兼無線通信装置に関するものである。
【背景技術】
【０００２】
従来から、エレキギター、エレキベース、電気ピアノ等の電気楽器と、アンプ、ミキサー等の音響機器とを接続し、電気楽器から入力される音響信号を音響機器で処理する音響システムが知られている（例えば、特許文献１参照）。
【先行技術文献】
【特許文献】
【０００３】
【特許文献１】特開２０１４−００２１７９号公報
【発明の概要】
【発明が解決しようとする課題】
【０００４】
ところで、通常、音響機器はケーブルを介して電気楽器と接続されるようになっているため、ケーブルの接続が面倒であるとともに、電気楽器や音響機器の配置もケーブルにより制限されてしまうという問題がある。
【０００５】
これに対し、電気楽器と音響機器との間を接続するためのケーブルを無線化する場合、例えば、送信側の接続対象機器となる電気楽器に無線送信機、受信側の接続対象機器となる音響機器に無線受信機をそれぞれ設ける形態が考えられる。この形態によれば、従来の構成のように電気楽器と音響機器との間をケーブルで接続する必要がないため、ケーブルの接続の面倒さや、電気楽器や音響機器の配置の制約もなくなる。また、電気楽器及び音響機器に対してそれぞれ無線送信機や無線受信機を外付けした構成とすることで、電気楽器や音響機器に無線通信機能を内蔵した構成とする場合に比べて構成を簡略化できるとともに、電気楽器や音響機器の構成を簡素化でき、さらには従来のものを使用することができる。しかしながら、上記の形態とする場合、次のような別の課題がある。
【０００６】
すなわち、無線送信機や無線受信機を外付けした構成とする場合、それらを動作させるための別電源が必要となる。例えば、乾電池等の一次電池、ＮｉＭＨ（ニッケル・メタルハイドライド）電池やＬｉ−ｉｏｎ(リチウム・イオン)電池等の二次電池、もしくは太陽電池や圧電デバイス等を無線送信機や無線受信機に設けることが考えられる。また、商用電源等から電源を得る方法もあるが、電源供給のためのケーブルが別途必要となってしまう。そのため、電気楽器や音響機器の利用形態を考慮すると、ケーブルによる使用範囲の制限を取り払うために、無線送信機及び無線受信機の少なくとも一方はケーブルで電源供給の不要な一次電池もしくは二次電池を利用した電源供給が必要である。
【０００７】
ここで、二次電池を利用した形態とした場合、二次電池に何らかの方法で充電する必要がある。この場合、二次電池に電力を供給するための充電器が必要となるとともに、無線送信機や無線受信機には充電器から二次電池に電力を供給するための充電端子が必要となる。すなわち、このようなシステムを利用するユーザーは、電気楽器と音響機器の他に、無線送信機、無線受信機、充電器、さらにそれらを接続するケーブル等の機器を準備しなければならないことになる。このようなシステムの中で、無線送信機、無線受信機、充電器、ケーブル等は取り扱いの際に紛失しやすい。特に充電器はシステム使用中（電気楽器の演奏時等）には使用しないため紛失の恐れが高い。
【０００８】
このような問題は、電気楽器と音響機器との間の接続に限られたものではなく、例えば、携帯電話、スマートフォン、タブレット端末、携帯型音楽プレーヤー、携帯ゲーム機、携帯型ＴＶ／ビデオ機器、携帯型ビデオカメラ等の様々な携帯型音響機器、映像機器、情報通信機器等と外部機器との間の接続についても同様である。
【０００９】
本発明は、このような事情に鑑みてなされたもので、取り扱いが容易でかつ簡単な構成で無線通信装置の二次電池を充電することができるとともに、無線通信装置や充電器を接続対象機器と一体で管理できる無線通信装置、充電器、及び充電器兼無線通信装置を提供することを目的とする。
【課題を解決するための手段】
【００１０】
上記目的を達成するために、本発明に係る無線通信装置の一態様は、第１接続対象機器に接続され、第２接続対象機器に接続された他の無線通信装置との間で無線通信を行う無線通信装置であって、第１接続対象機器と第２接続対象機器との間で伝送される信号と無線信号との変換を行う伝送回路と、伝送回路に電力を供給する二次電池と、伝送回路及び二次電池が並列に接続され、第１接続対象機器の接続コネクタに着脱自在に挿入される接続端子と、を備え、接続端子は、第１接続対象機器の接続コネクタに挿入された場合には伝送回路との間で信号を入力又は出力する信号端子として機能し、充電器の充電コネクタに挿入された場合には二次電池を充電する充電端子として機能する。
【００１１】
ここで、「第１接続対象機器」及び「第２接続対象機器」としては、エレキギター、エレキベース、電気ピアノ等の電気楽器、アンプ、ミキサー等の音響機器に限らず、例えば、コンデンサマイクやダイナミックマイク等のハンドマイク、携帯電話、スマートフォン、タブレット端末、携帯型音楽プレーヤー、携帯ゲーム機、携帯型ＴＶ／ビデオ機器、携帯型ビデオカメラ等の様々な携帯型音響機器、映像機器、情報通信機器等と、これらの機器と接続される外部機器等が含まれる。
【００１２】
本発明に係る無線通信装置の一態様において、接続端子に接続されるラインは二次電池に向かう第１分岐ラインと伝送回路に向かう第２分岐ラインとに分岐され、第１分岐ラインに高周波チョークコイルが設けられ、第２分岐ラインにコンデンサが設けられていることが好ましい。
【００１３】
本発明に係る無線通信装置の一態様において、第１分岐ラインに二次電池から接続端子に向かう電流の流れを阻止するダイオードが設けられていることが好ましい。
【００１４】
本発明に係る無線通信装置の一態様において、第１分岐ラインにダイオードと並列に抵抗が接続されていることが好ましい。
【００１５】
本発明に係る無線通信装置の一態様において、抵抗が接続された並列接続ラインには開閉可能なスイッチが設けられていることが好ましい。
【００１６】
本発明に係る無線通信装置の一態様において、無線通信装置は、無線送信機及び無線受信機の少なくともいずれかとして機能することが好ましい。
【００１７】
本発明に係る無線通信装置の一態様において、第１接続対象機器及び第２接続対象機器のいずれか一方の接続対象機器が電気楽器であり、他方の接続対象機器が音響機器であることが好ましい。
【００１８】
ここで、「電気楽器」とは、楽器の作る振動を、電気信号として取り出し、何らかの処理をして音声を出力する仕組みを持った楽器（例えば、エレキギター、エレキベース、電気ピアノ等）のみならず、電子回路による演算によって波形信号を作り出す電子楽器（例えば、キーボード、ドラムマシン）も含む。
【００１９】
また、上記目的を達成するために、本発明に係る充電器の一態様は、無線通信装置の二次電池を充電するための電源回路と、第１無線通信装置の接続端子が着脱自在に挿入される第１無線通信装置用接続コネクタと、第２無線通信装置の接続端子が着脱自在に挿入される第２無線通信装置用接続コネクタと、接続対象機器の接続コネクタに着脱自在に挿入される接続対象機器用接続端子と、第１無線通信装置用接続コネクタに第１無線通信装置の接続端子が挿入されたか否かに応じて、第１無線通信装置用接続コネクタと第２無線通信装置用接続コネクタとに共通に接続する共通接続ラインの接続先を、接続対象機器用接続端子に接続された信号ラインと電源回路に接続された電源ラインとの間で選択的に切り替える切替手段と、を備える。
【００２０】
本発明に係る充電器の一態様において、切替手段は、第１無線通信装置用接続コネクタに第１無線通信装置の接続端子が挿入された場合には共通接続ラインの接続先を電源ラインに切り替え、第１無線通信装置用接続コネクタに第１無線通信装置の接続端子が挿入されていない場合には共通接続ラインの接続先を信号ラインに切り替えることが好ましい。
【００２１】
また、上記目的を達成するために、本発明に係る充電器兼無線通信装置の一態様は、第１接続対象機器に接続され、第２接続対象機器に接続された他の無線通信装置との間で無線通信を行う充電器兼無線通信装置であって、第１接続対象機器と第２接続対象機器との間で伝送される信号と無線信号との変換を行う伝送回路と、伝送回路に電力を供給し、かつ他の無線通信装置の二次電池を充電するための電源回路と、伝送回路にコンデンサを介して接続され、他の無線通信装置の接続端子が着脱自在に挿入される無線通信装置用接続コネクタと、第１接続対象機器の接続コネクタに着脱自在に挿入される接続対象機器用接続端子と、無線通信装置用接続コネクタに他の無線通信装置の接続端子が挿入されたか否かに応じて、無線通信装置用接続コネクタと伝送回路とに共通に接続する共通接続ラインの接続先を、接続対象機器用接続端子に接続された信号ラインと電源回路に接続された電源ラインとの間で選択的に切り替える切替手段と、を備える。
【００２２】
本発明に係る充電器兼無線通信装置の一態様において、切替手段は、無線通信装置用接続コネクタに他の無線通信装置の接続端子が挿入された場合には共通接続ラインの接続先を電源ラインに切り替え、無線通信装置用接続コネクタに他の無線通信装置の接続端子が挿入されていない場合には共通接続ラインの接続先を信号ラインに切り替えることが好ましい。
【００２３】
本発明に係る充電器兼無線通信装置の一態様において、充電器兼無線通信装置は、無線送信機及び無線受信機の少なくともいずれかとして機能することが好ましい。
【００２４】
本発明に係る充電器兼無線通信装置の一態様において、第１接続対象機器及び第２接続対象機器のいずれか一方の接続対象機器が電気楽器であり、他方の接続対象機器が音響機器であることが好ましい。
【発明の効果】
【００２５】
本発明によれば、取り扱いが容易でかつ簡単な構成で無線通信装置の二次電池を充電することができるとともに、無線通信装置や充電器を接続対象機器と一体で管理できる。
【図面の簡単な説明】
【００２６】
【図１】本発明の一実施形態（第１の実施形態）が適用された音響システムの概略図
【図２】充電器の外観を示した概略図
【図３】充電器の回路の一例を示した図
【図４Ａ】電気楽器の回路の一例を示した図
【図４Ｂ】音響機器の回路の一例を示した図
【図５Ａ】無線送信機の回路の一例を示した図
【図５Ｂ】無線受信機の回路の一例を示した図
【図６Ａ】無線送信機の回路の他の例（第１の実施形態の変形例）を示した図
【図６Ｂ】無線受信機の回路の他の例（第１の実施形態の変形例）を示した図
【図７】第２の実施形態に係る充電器の外観を示した概略図
【図８】第２の実施形態に係る充電器の回路の一例を示した図
【図９】第２の実施形態における音響システムの使用形態を示した概略図
【図１０】第３の実施形態に係る無線受信機の外観を示した概略図
【図１１】第３の実施形態に係る無線受信機の回路の一例を示した図
【図１２】第４の実施形態に係る音響機器の外観を示した概略図
【図１３】第４の実施形態に係る音響機器の回路の一例を示した図
【発明を実施するための形態】
【００２７】
以下、添付図面に従って本発明の好ましい実施の形態について詳説する。なお、以下では、本発明をエレキギター等の電気楽器とアンプ等の音響機器との接続に適用した例について説明するが、本発明はこの実施形態に限定されるものではなく、例えば、コンデンサマイクやダイナミックマイク等のハンドマイク、携帯電話、スマートフォン、タブレット端末、携帯型音楽プレーヤー、携帯ゲーム機、携帯型ＴＶ／ビデオ機器、携帯型ビデオカメラ等の様々な携帯型音響機器、映像機器、情報通信機器等と外部機器との接続等にも適用可能である。
【００２８】
（第１の実施形態）
図１は、本発明の一実施形態（第１の実施形態）が適用された音響システムの概略図である。図１に示すように、音響システム１は、第１接続対象機器の一例である電気楽器１００と、第２接続対象機器の一例である音響機器２００とを備えている。
【００２９】
電気楽器１００と音響機器２００との間は、無線通信装置の一例である無線送信機１０及び無線受信機３０を用いて無線接続されている。具体的には、電気楽器１００のジャック（接続コネクタ）１０２に無線送信機１０のプラグ（接続端子）１２が接続されるとともに、音響機器２００のジャック（接続コネクタ）２０２に無線受信機３０のプラグ（接続端子）３２が接続される。これにより、電気楽器１００と音響機器２００との間は無線通信により音響信号を伝送可能な状態となる。
【００３０】
本実施形態における無線送信機１０及び無線受信機３０には、詳細を後述するように、それぞれ動作電源としての二次電池が内蔵されている。各二次電池は図２に示した充電器５０により充電が行われる。
【００３１】
なお、本実施形態において、電気楽器１００とは、楽器の作る振動を、電気信号として取り出し、何らかの処理をして音声を出力する仕組みを持った楽器（例えば、エレキギター、エレキベース、電気ピアノ等）のみならず、電子回路による演算によって波形信号を作り出す電子楽器（例えば、キーボード、ドラムマシン）も含む。後述する他の実施形態においても同様である。
【００３２】
図２は、充電器５０の外観を示した概略図である。図２に示すように、充電器５０は、２つのジャック５２、５４を備えており、各ジャック５２、５４には無線送信機１０のプラグ１２と無線受信機３０のプラグ３２を着脱自在に挿入可能となっている。これにより、各ジャック５２、５４のうち、一方のジャックに無線送信機１０のプラグ１２を挿入し、他方のジャックに無線受信機３０のプラグ３２を挿入することで、無線送信機１０及び無線受信機３０にそれぞれ内蔵される二次電池の充電が行われる。
【００３３】
なお、充電器５０の電源はＡＣ１００Ｖなどの商用電源、もしくはパソコンなどに備えられたＵＳＢ（Univesal Serial Bus）端子から電源を得られるようになっている。
【００３４】
また、無線送信機１０のプラグ１２、無線受信機３０のプラグ３２、及び充電器５０のジャック５２、５４は、φ６．３標準プラグ、ジャックや、φ３．５ミニプラグ、ミニジャックなどで構成される。これらは従来の電気楽器や音響機器などで標準的に使用されているものであり、従来の電気楽器や音響機器などへの接続が容易に行える。もちろん、これらのプラグ、ジャックに限らず、他の形状のプラグ、ジャックへの応用も可能である。
【００３５】
図３は、充電器５０の回路の一例を示した図である。図３に示すように、充電器５０は、無線送信機１０及び無線受信機３０に対して充電電流を供給する電源回路５６を備えている。電源回路５６は、一般的な定電圧電源回路や定電流電源回路、又は無線送信機１０、無線受信機３０で使用する二次電池の特性に合わせた電源回路でもよい。
【００３６】
充電器５０の各ジャック５２、５４には、無線送信機１０のプラグ１２と無線受信機３０のプラグ３２が着脱自在に挿入される。各ジャック５２、５４のいずれか一方のジャックに無線送信機１０のプラグ１２が挿入されると、無線送信機１０のプラグ１２の一方の電極に電源回路５６のホット側電極が接続され、他方の電極に電源回路５６のグランド側電極が接続される。これにより、電源回路５６から無線送信機１０のプラグ１２に対して充電電流が供給される。無線受信機３０のプラグ３２が挿入された場合についても同様であり、電源回路５６から無線受信機３０のプラグ３２に対して充電電流が供給される。
【００３７】
図４Ａは、電気楽器１００の回路の一例を示した図である。図４Ａに示すように、電気楽器１００は、演奏者による操作子（弦・鍵など）の操作に応じて音響信号（電気信号）を生成する音響信号発生回路１０４を備えている。なお、音響信号発生回路１０４は、電気楽器１００の動作や信号処理に応じて適宜設計されるが、ここでは詳細な説明を省略する。
【００３８】
電気楽器１００のジャック１０２に無線送信機１０のプラグ１２が挿入された場合、無線送信機１０のプラグ１２の一方の電極に音響信号発生回路１０４の一方の出力端が接続され、他方の電極に音響信号発生回路１０４の他方の出力端が接続される。これにより、音響信号発生回路１０４から出力された音響信号が無線送信機１０のプラグ１２に対して供給される。
【００３９】
図４Ｂは、音響機器２００の回路の一例を示した図である。図４Ｂに示すように、音響機器２００は、ジャック２０２を介して入力された音響信号に対して所定の信号処理（増幅や効果付与等）を行う音響信号処理回路２０４を備えている。なお、音響信号処理回路２０４は、音響機器２００の動作や信号処理に応じて適宜設計されるが、ここでは詳細な説明を省略する。
【００４０】
音響機器２００のジャック２０２に無線受信機３０のプラグ３２が挿入された場合、無線受信機３０のプラグ３２の一方の電極に音響信号処理回路２０４の一方の入力端が接続され、他方の電極に音響信号処理回路２０４の他方の入力端が接続される。これにより、無線受信機３０のプラグ３２から出力された音響信号が音響信号処理回路２０４に対して供給される。
【００４１】
図５Ａは、無線送信機１０の回路の一例を示した図である。図５Ａに示すように、無線送信機１０は、プラグ１２と、アンテナ１４と、伝送回路１６と、二次電池１８と、コンデンサ２０と、高周波チョークコイル２２と、ダイオード２４とを備えている。
【００４２】
伝送回路１６は、電気楽器１００と音響機器２００との間で伝送される音響信号（ＡＦ信号）と無線信号（ＲＦ信号）との変換を行う。アンテナ１４は、伝送回路１６から出力された無線信号を送信する。
【００４３】
伝送回路１６と二次電池１８はプラグ１２に対して並列に接続されている。プラグ１２の一方の電極（チップ電極）に接続される正極ライン２６は、途中で２つの分岐ライン２６ａ、２６ｂに分岐しており、一方の分岐ライン（第１分岐ライン）２６ａの他端は二次電池１８の正極に接続され、他方の分岐ライン（第２分岐ライン）２６ｂの他端は伝送回路１６の入力端に接続される。
【００４４】
第１分岐ライン２６ａには、プラグ１２側から順に、高周波信号を通さないように阻止する高周波チョークコイル２２と、二次電池１８からプラグ１２に向かう電流の流れを阻止するダイオード２４とが直列に設けられている。これにより、プラグ１２が充電器５０のジャック５２（又はジャック５４）に挿入された場合には、充電器５０の電源回路５６からの充電電流（直流電流）に含まれる電気ノイズ等の高周波信号が高周波チョークコイル２２で阻止される。また、二次電池１８の内部短絡時あるいは外部短絡時に大電流が発生するのをダイオード２４によって防止することができる。
【００４５】
第２分岐ライン２６ｂには、交流電流を通過させ直流電流を遮断するコンデンサ２０が設けられている。これにより、プラグ１２が充電器５０のジャック５２（又はジャック５４）に挿入された場合には、充電器５０の電源回路５６からの充電電流（直流電流）はコンデンサ２０で遮断され、伝送回路１６への充電電流の流入が防止される。一方、プラグ１２が電気楽器１００のジャック１０２に挿入された場合には、電気楽器１００の音響信号発生回路１０４からの音響信号（交流信号）はコンデンサ２０を介して伝送回路１６に入力される。
【００４６】
伝送回路１６の一方の電源端子は二次電池１８の正極側に接続され、他方の電源端子は二次電池１８の負極側に接続される。具体的には、伝送回路１６の一方の電源端子は二次電池１８とダイオード２４との間の第１分岐ライン２６ａに接続され、他方の電源端子はプラグ１２の他方の電極（スリーブ電極）と二次電池１８の負極との間を接続する負極ライン（グランドライン）２８に接続される。これにより、伝送回路１６は、二次電池１８から供給される電力を動作電源として動作する。
【００４７】
さらに無線送信機１０には、充電器５０により二次電池１８の充電が行われている状態（充電状態）であるか否かを判別するために監視ライン２９が設けられている。監視ライン２９の一端は伝送回路１６の検出端子に接続され、他端は高周波チョークコイル２２とダイオード２４との間の第１分岐ライン２６ａに接続される。これにより、伝送回路１６は、監視ライン２９を通じて、高周波チョークコイル２２とダイオード２４との間の第１分岐ライン２６ａを流れる電流を検知することが可能となっている。
【００４８】
伝送回路１６は、監視ライン２９を通じて検知する第１分岐ライン２６ａの電流が予め設定された閾値を上回る場合には、プラグ１２が充電器５０のジャック５２（又はジャック５４）に挿入されて二次電池１８に充電電流が供給されている状態（充電状態）と判定する。また、閾値を下回る場合には、プラグ１２が電気楽器１００のジャック１０２に挿入されて電気楽器１００からの音響信号が伝送回路１６に対して供給されている状態（使用状態）、あるいは、プラグ１２が充電器５０のジャック５２（又はジャック５４）と電気楽器１００のジャック１０２の何れにも挿入されていない状態（不使用状態）と判定する。例えば、無線送信機１０に充電ランプ（不図示）を設け、伝送回路１６は上記判定結果に応じて充電ランプのＯＮ／ＯＦＦ（点灯／消灯）を制御するようにすることで、ユーザーは充電状態にあるか否かを視覚的に容易に把握することが可能となる。なお、本実施形態では、一例として、無線送信機１０の回路に監視ライン２９を設けた構成を示したが、監視ライン２９は必ずしもなくてもよい。
【００４９】
図５Ｂは、無線受信機３０の回路の一例を示した図である。図５Ｂに示すように、無線受信機３０の回路は、無線送信機１０の回路と基本的な構成は同様である。以下、説明が重複するが、無線受信機３０の回路の構成について説明する。
【００５０】
無線受信機３０は、プラグ３２と、アンテナ３４と、伝送回路３６と、二次電池３８と、コンデンサ４０と、高周波チョークコイル４２と、ダイオード４４とを備えている。
【００５１】
伝送回路３６は、電気楽器１００と音響機器２００との間で伝送される音響信号（ＡＦ信号）と無線信号（ＲＦ信号）との変換を行う。アンテナ３４は、無線送信機１０のアンテナ１４（図５Ａ参照）から送信された無線信号を受信して伝送回路３６に入力する。
【００５２】
伝送回路３６と二次電池３８はプラグ３２に対して並列に接続されている。プラグ３２の一方の電極（チップ電極）に接続される正極ライン４６は、途中で２つの分岐ライン４６ａ、４６ｂに分岐しており、一方の分岐ライン（第１分岐ライン）４６ａの他端は二次電池３８の正極に接続され、他方の分岐ライン（第２分岐ライン）４６ｂの他端は伝送回路３６の出力端に接続される。
【００５３】
第１分岐ライン４６ａには、プラグ３２側から順に、高周波信号を通さないように阻止する高周波チョークコイル４２と、二次電池３８からプラグ３２に向かう電流の流れを阻止するダイオード４４とが直列に設けられている。これにより、プラグ３２が充電器５０のジャック５４（又はジャック５２）に挿入された場合には、充電器５０の電源回路５６からの充電電流（直流電流）に含まれる電気ノイズ等の高周波信号が高周波チョークコイル４２で阻止される。また、二次電池３８の内部短絡時あるいは外部短絡時に大電流が発生するのをダイオード４４によって防止することができる。
【００５４】
第２分岐ライン４６ｂには、交流電流を通過させ直流電流を遮断するコンデンサ４０が設けられている。これにより、プラグ３２が充電器５０のジャック５４（又はジャック５２）に挿入された場合には、充電器５０の電源回路５６からの充電電流（直流電流）はコンデンサ４０で遮断され、伝送回路３６への充電電流の流入が防止される。また、プラグ３２が音響機器２００のジャック２０２に挿入された場合には、伝送回路３６から出力された音響信号（交流信号）はコンデンサ２０を介してプラグ３２に供給され、音響機器２００のジャック２０２を介して音響信号処理回路２０４に入力される。
【００５５】
伝送回路３６の一方の電源端子は二次電池３８の正極側に接続され、他方の電源端子は二次電池３８の負極側に接続される。具体的には、伝送回路３６の一方の電源端子は二次電池３８とダイオード４４との間の第１分岐ライン４６ａに接続され、他方の電源端子はプラグ３２の他方の電極と二次電池３８の負極との間を接続する負極ライン（グランドライン）４８に接続される。これにより、伝送回路３６は、二次電池３８から供給される電力を動作電源として動作する。
【００５６】
無線受信機３０の回路には、充電器５０により二次電池３８の充電が行われている状態（充電状態）であるか否かを判別するために監視ライン４９が設けられている。監視ライン４９の一端は伝送回路３６の検出端子に接続され、他端は高周波チョークコイル４２とダイオード４４との間の第１分岐ライン４６ａに接続される。これにより、伝送回路３６は、監視ライン４９を通じて、高周波チョークコイル４２とダイオード４４との間の第１分岐ライン４６ａを流れる電流を検知することが可能となっている。
【００５７】
伝送回路３６は、監視ライン４９を通じて検知する第１分岐ライン４６ａの電流が予め設定された閾値を上回る場合には、プラグ３２が充電器５０のジャック５４（又はジャック５２）に挿入されて二次電池３８に充電電流が供給されている状態（充電状態）と判定する。また、閾値を下回る場合には、プラグ３２が音響機器２００のジャック２０２に挿入されて伝送回路３６から出力された音響信号が音響機器２００に対して供給されている状態（使用状態）、あるいは、プラグ３２が充電器５０のジャック５４（又はジャック５２）と音響機器２００のジャック２０２の何れにも挿入されていない状態（不使用状態）と判定する。例えば、無線受信機３０に充電ランプ（不図示）を設け、伝送回路３６は上記判定結果に応じて充電ランプのＯＮ／ＯＦＦ（点灯／消灯）を制御することで、ユーザーは充電状態にあるか否かを視覚的に容易に把握することが可能となる。なお、本実施形態では、一例として、無線受信機３０の回路に監視ライン４９を設けた構成を示したが、監視ライン４９は必ずしもなくてもよい。
【００５８】
以上の構成によれば、図１に示したように、無線送信機１０のプラグ１２を電気楽器１００のジャック１０２に挿入するとともに、無線受信機３０のプラグ３２を音響機器２００のジャック２０２に挿入することで、電気楽器１００と音響機器２００との間は無線通信により音響信号を伝送可能な状態となる。このような状態において、電気楽器１００の演奏が行われた場合には、電気楽器１００の音響信号発生回路１０４から出力された音響信号は無線送信機１０のプラグ１２を介して伝送回路１６に入力され、伝送回路１６で無線信号（ＲＦ信号）に変換され、アンテナ１４から送信される。アンテナ１４から送信された無線信号は、無線受信機３０のアンテナ３４で受信され、伝送回路３６で元の音響信号に戻され、伝送回路３６から出力された音響信号はプラグ３２に供給される。そして、プラグ３２から出力された音響信号は、音響機器２００のジャック２０２を介して音響信号処理回路２０４に入力され、音響信号処理回路２０４で所定の信号処理が行われる。
【００５９】
また、無線送信機１０及び無線受信機３０にそれぞれ内蔵される二次電池１８、３８の充電を行う場合には、無線送信機１０と無線受信機３０をそれぞれ電気楽器１００、音響機器２００から取り外して、各ジャック５２、５４のいずれか一方のジャックに無線送信機１０のプラグ１２を挿入するとともに、他方のジャックに無線受信機３０のプラグ３２を挿入する。これにより、充電器５０の電源回路５６から供給される充電電流は、プラグ１２から高周波チョークコイル２２、ダイオード２４を介して二次電池１８に供給されるとともに、プラグ３２から高周波チョークコイル４２、ダイオード４４を通して二次電池３８に供給される。このとき、充電器５０の電源回路５６からの充電電流はコンデンサ２０、４０でそれぞれ遮断されるので、伝送回路１６、３６への充電電流の流入が防止される。
【００６０】
なお、各ジャック５２、５４のいずれか一方のジャックのみに無線送信機１０のプラグ１２又は無線受信機３０のプラグ３２を挿入した場合も同様に充電可能である。
【００６１】
このように第１の実施形態によれば、無線送信機１０のプラグ１２は、電気楽器１００のジャック１０２に挿入された場合には音響信号の入力信号端子として機能し、充電器５０の各ジャック５２、５４のいずれか一方のジャックに挿入された場合には二次電池１８を充電する充電端子として機能する。また、無線受信機３０のプラグ３２は、音響機器２００のジャック２０２に挿入された場合には音響信号の出力信号端子として機能し、充電器５０の各ジャック５２、５４のいずれか一方のジャックに挿入された場合には二次電池３８を充電する充電端子として機能する。したがって、取り扱いが容易でかつ簡単な構成で無線送信機１０の二次電池１８や無線受信機３０の二次電池３８を充電することができるとともに、無線送信機１０、無線受信機３０、及び充電器５０を接続対象機器（本例の場合、電気楽器１００と音響機器２００）と一体管理でき、充電器５０の紛失の可能性をなくすことができる。すなわち、無線通信装置や充電器を接続対象機器と一体で管理でき、充電器の紛失を確実に防止することができる。
【００６２】
なお、第１の実施形態では、無線通信装置の一例として、無線送信機能のみを備えた無線送信機１０と、無線受信機能のみを備えた無線受信機３０とを示したが、無線通信装置は無線送信機能と無線受信機能との両方を備えた装置であってもよい。後述する他の実施形態においても同様である。
【００６３】
また、第１の実施形態では、無線送信機１０の二次電池１８及び無線受信機３０の二次電池３８は、内部回路である伝送回路１６、３６の動作電源としてそれぞれ機能する態様としたが、例えば、第１の実施形態の変形例として、無線送信機１０や無線受信機３０が接続される接続対象機器（電気楽器１００、音響機器２００）に対して電力を供給する外部動作電源として機能するように構成してもよい。
【００６４】
図６Ａ及び図６Ｂは、第１の実施形態の変形例としての無線送信機１０Ａと無線受信機３０Ａの回路の一例を示した図である。図６Ａ及び図６Ｂ中、図５Ａ及び図５Ｂと共通又は類似する構成要素には同一の番号を付している。
【００６５】
図６Ａ及び図６Ｂに示すように、第１分岐ライン２６ａ、４６ａに設けたダイオード２４、４４と並列に接続される並列接続ラインには抵抗２５、４５が設けられている。これにより、後述するスイッチ２７、４７がオン（閉状態）となっている場合には、二次電池１８、３８からそれぞれプラグ１２、３２に対して接続対象機器の内部回路を動作させるための電力を供給することが可能となる。したがって、接続対象機器が動作電源を内蔵しない場合でも、無線送信機１０Ａもしくは無線受信機３０Ａを接続することで、無線送信機１０Ａもしくは無線受信機３０Ａに内蔵される二次電池１８又は３８から供給される電力により接続対象機器を動作させることが可能となる。
【００６６】
また、第１の実施形態の変形例では、図６Ａ及び図６Ｂに示すように、抵抗２５、４５が設けられた並列接続ラインに開閉可能なスイッチ２７、４７が設けられている。このスイッチ２７、４７の開閉（オン／オフ）により、二次電池１８、３８の動作モードを接続対象機器に電力を供給しない通常モードと接続対象機器に電力を供給する電力供給モードとの間で選択的に切り替えることが可能となる。これにより、接続対象機器が動作電源を内蔵する場合と内蔵しない場合とで使い分けることが可能となり、接続対象機器の適用範囲が拡大し、利便性を大幅に向上させることができる。
【００６７】
（第２の実施形態）
次に、本発明の第２の実施形態について説明する。以下、第１の実施形態と共通する部分については説明を省略し、本実施形態の特徴的部分を中心に説明する。
【００６８】
図７は、第２の実施形態に係る充電器５０Ａの外観を示した概略図である。図７中、図２と共通又は類似する構成要素には同一の番号を付している。
【００６９】
図７に示すように、第２の実施形態に係る充電器５０Ａは、２つのジャック５２、５４を備える点は第１の実施形態と共通しているが、電気楽器１００のジャック１０２や音響機器２００のジャック２０２に着脱自在に挿入されるプラグ５８を備える点で第１の実施形態とは異なっている。各ジャック５２、５４はそれぞれ第１無線通信装置用接続コネクタ、第２無線通信用接続コネクタの一例である。また、プラグ５８は接続対象機器用接続端子の一例である。なお、無線送信機１０及び無線受信機３０については、第１の実施形態と同様のものが用いられる。
【００７０】
図８は、第２の実施形態に係る充電器５０Ａの回路の一例を示した図である。なお、図８中、図３と共通又は類似する構成要素には同一の番号を付している。
【００７１】
図８に示すように、充電器５０Ａは、第１ジャック５２の一方の電極（チップ電極）と第２ジャック５４の一方の電極（チップ電極）とに共通に接続する共通接続ライン６０の接続先を、電源回路５６側の電源ライン６２とプラグ５８側の信号ライン６４との間で選択的に切り替えるスイッチ６６を備えている。
【００７２】
スイッチ６６は、第１ジャック５２のプラグ挿入状態に応じて共通接続ライン６０の接続先を切り替えるものであり、第１ジャック５２にプラグ（例えば、無線送信機１０のプラグ１２）が挿入された場合にはスイッチ６６は共通接続ライン６０の接続先を電源ライン６２に切り替え、第１ジャック５２にプラグが挿入されていない場合には共通接続ライン６０の接続先を信号ライン６４に切り替える。
【００７３】
以上の構成によれば、各ジャック５２、５４にそれぞれ無線送信機１０のプラグ１２と無線受信機３０のプラグ３２が挿入された場合、スイッチ６６によって共通接続ライン６０の接続先が電源ライン６２に切り替わるので、電源回路５６から充電電流がそれぞれのジャック５２、５４に供給され、各ジャック５２、５４に挿入されたプラグ１２、３２を介して無線送信機１０及び無線受信機３０の二次電池１８、３８の充電が行われる。
【００７４】
また、各ジャック５２、５４のうち、第１ジャック５２のみに無線送信機１０のプラグ１２もしくは無線受信機３０のプラグ３２が挿入された場合、前述の場合と同様にスイッチ６６によって共通接続ライン６０の接続先が電源ライン６２に切り替わるので、電源回路５６から充電電流が第１ジャック５２に供給され、第１ジャック５２に挿入されたプラグ（プラグ１２又はプラグ３２）を介して無線送信機１０の二次電池１８もしくは無線受信機３０の二次電池３８の充電が行われる。
【００７５】
一方、各ジャック５２、５４のうち、第２ジャック５４のみに無線送信機１０のプラグ１２もしくは無線受信機３０のプラグ３２が挿入された場合、スイッチ６６によって共通接続ライン６０の接続先が信号ライン６４に切り替わるので、第２ジャック５４は信号ライン６４を介して電気的に接続された状態となり、第２ジャック５４とプラグ５８との間で音響信号を伝送可能な状態となる。
【００７６】
したがって、各ジャック５２、５４のうち、第２ジャック５４のみに無線受信機３０のプラグ３２を挿入し、さらに充電器５０Ａのプラグ５８を音響機器２００のジャック２０２に挿入した場合には、無線受信機３０のプラグ３２から出力された音響信号を充電器５０Ａを経由して音響機器２００の音響信号処理回路２０４に供給することが可能となる。
【００７７】
また、各ジャック５２、５４のうち、第２ジャック５４のみに無線送信機１０のプラグ１２を挿入し、さらに充電器５０Ａのプラグ５８を電気楽器１００のジャック１０２に挿入した場合には、電気楽器１００の音響信号発生回路１０４から出力された音響信号を充電器５０Ａを経由して無線送信機１０の伝送回路１６に供給することが可能となる。
【００７８】
このように第２の実施形態によれば、充電器５０の各ジャック５２、５４に無線送信機１０のプラグ１２と無線受信機３０のプラグ３２が挿入された場合には、充電器５０は無線送信機１０及び無線受信機３０の二次電池１８、３８を充電するための充電電流供給手段として機能する。また、充電器５０の各ジャック５２、５４のうち、第１ジャック５２のみに無線送信機１０のプラグ１２もしくは無線受信機３０のプラグ３２が挿入された場合も同様に充電器５０は充電電流供給手段として機能する。一方、充電器５０の各ジャック５２、５４のうち、第２ジャック５４のみに無線送信機１０のプラグ１２もしくは無線受信機３０のプラグ３２が挿入された場合には、充電器５０は無線送信機１０もしくは無線受信機３０と接続対象機器（電気楽器１００又は音響機器２００）との間で伝送する信号を中継する信号中継手段として機能する。これにより、例えば図９に示すように、音響システム１の使用時（電気楽器１００の演奏時等）においては、音響機器２００と無線受信機３０との間に充電器５０Ａを配置することが可能となる。また、図９に示した構成に代えて、電気楽器１００と無線送信機１０との間に充電器５０Ａを配置することも可能である。したがって、無線通信装置や充電器を接続対象機器と一体で管理でき、充電器の紛失を確実に防止することができる。
【００７９】
（第３の実施形態）
次に、本発明の第３の実施形態について説明する。以下、上述した各実施形態と共通する部分については説明を省略し、本実施形態の特徴的部分を中心に説明する。
【００８０】
図１０は、第３の実施形態に係る無線受信機３０Ｂの外観を示した概略図である。図１０中、図２又は図７と共通又は類似する構成要素には同一の番号を付している。
【００８１】
図１０に示すように、第３の実施形態に係る無線受信機３０Ｂは、充電器としての機能を兼ね備えたものである。無線受信機３０Ｂは充電器兼無線受信機の一例である。無線受信機３０Ｂは、無線送信機１０のプラグ１２が着脱自在に挿入されるジャック７０と、音響機器２００のジャック２０２に着脱自在に挿入されるプラグ７２とを備えている。無線送信機１０の二次電池１８を充電する際には、ジャック７０に無線送信機１０のプラグ１２を挿入することで充電が行われる。ジャック７０は無線通信装置用接続コネクタの一例であり、プラグ７２は接続対象機器用接続端子の一例である。なお、無線送信機１０については、第１の実施形態と同様のものが用いられる。
【００８２】
図１１は、第３の実施形態に係る無線受信機３０Ｂの回路の一例を示した図である。なお、図１１中、図５Ｂと共通又は類似する構成要素には同一の番号を付している。
【００８３】
図１１に示すように、無線受信機３０Ｂは、アンテナ３４、伝送回路３６、及びコンデンサ４０を備える点は第１の実施形態の無線受信機３０と同様である。
【００８４】
第３の実施形態ではさらに、無線受信機３０Ｂは、電源回路７４と、ジャック７０の一方の電極（チップ電極）と伝送回路３６とに共通に接続する共通接続ライン８２の接続先を、電源回路７４側の電源ライン７８とプラグ７２側の信号ライン８０との間で選択的に切り替えるスイッチ７６とを備えている。なお、共通接続ライン８２はコンデンサ４０を介して伝送回路３６に接続される。
【００８５】
スイッチ７６は、ジャック７０のプラグ挿入状態に応じて共通接続ライン８２の接続先を切り替えるものであり、ジャック７０に無線送信機１０のプラグ１２が挿入された場合にはスイッチ７６は共通接続ライン８２の接続先を電源ライン７８に切り替え、ジャック７０に無線送信機１０のプラグ１２が挿入されていない場合には共通接続ライン６０の接続先を信号ライン８０に切り替える。
【００８６】
以上の構成によれば、ジャック７０に無線送信機１０のプラグ１２が挿入された場合、スイッチ７６によって共通接続ライン８２の接続先が電源ライン７８に切り替わるので、電源回路７４から充電電流がジャック７０に供給され、無線送信機１０のプラグ１２を介して二次電池１８の充電が行われる。
【００８７】
一方、ジャック７０に無線送信機１０のプラグ１２が挿入されていない場合、スイッチ７６によって共通接続ライン８２の接続先が信号ライン８０に切り替わるので、伝送回路３６から出力された音響信号は信号ライン８０を介してプラグ７２に供給される。
【００８８】
なお、無線受信機３０Ｂの電源は、接続対象機器である音響機器２００の電源出力、ＡＣ１００Ｖなどの商用電源、もしくはパソコンなどに備えられたＵＳＢ（Univesal Serial Bus）端子から電源を得られるようになっている。
【００８９】
このように第３の実施形態によれば、無線受信機３０Ｂのジャック７０に無線送信機１０のプラグ１２が挿入された場合には、無線受信機３０Ｂは無線送信機１０の二次電池１８を充電するための充電電流供給手段として機能する。一方、無線受信機３０Ｂのジャック７０に無線送信機１０のプラグ１２が挿入されていない場合には、無線送信機１０との間で無線通信を行う無線通信手段として機能する。これにより、音響システム１の使用時（電気楽器１００の演奏時等）においては、無線送信機１０と無線受信機３０Ｂはそれぞれ接続対象機器である電気楽器１００と音響機器２００に接続された状態で使用され、無線送信機１０の二次電池１８を充電する際には無線送信機１０は無線受信機３０Ｂに接続された状態で使用される。したがって、無線通信装置や充電器を接続対象機器と一体で管理でき、充電器の紛失を確実に防止することができる。
【００９０】
なお、第３の実施形態では、一例として、無線受信機３０Ｂが充電器としての機能を兼ね備えた場合を示したが、これに限らず、無線送信機１０が充電器としての機能を兼ね備えたものであってもよい。
【００９１】
（第４の実施形態）
次に、本発明の第４の実施形態について説明する。以下、上述した各実施形態と共通する部分については説明を省略し、本実施形態の特徴的部分を中心に説明する。
【００９２】
図１２は、第４の実施形態に係る音響機器２００Ａの外観を示した概略図である。図１２中、図１と共通又は類似する構成要素には同一の番号を付している。
【００９３】
図１２に示すように、第４の実施形態に係る音響機器２００Ａは無線受信機及び充電器としての機能を兼ね備えたものである。音響機器２００Ａは充電器兼無線通信装置の一例である。音響機器２００Ａは、無線送信機１０のプラグ１２が着脱自在に挿入されるジャック２０２を備えている。無線送信機１０の二次電池１８を充電する際には、ジャック２０２に無線送信機１０のプラグ１２を挿入することで充電が行われる。
【００９４】
図１３は、第４の実施形態に係る音響機器２００Ａの回路の一例を示した図である。図１３に示すように、音響機器２００Ａは、無線受信機として機能するために、アンテナ２０６、伝送回路２０８、及びコンデンサ２１０を備えている。アンテナ２０６、伝送回路２０８、及びコンデンサ２１０は、第１の実施形態の無線受信機３０もしくは第３の実施形態の無線受信機３０Ｂのアンテナ３４、伝送回路３６、及びコンデンサ４０と基本的な構成及び作用効果は同じであり、ここでは説明を省略する。
【００９５】
音響機器２００Ａは、ジャック２０２の一方の電極（チップ電極）と伝送回路２０８とに共通に接続する共通接続ライン２１４の接続先を、音響機器２００Ａの電源（不図示）に接続される電源ライン２１６と音響機器２００Ａの音響信号処理回路２０４（図４Ｂ参照）の入力端に接続される信号ライン２１８との間で選択的に切り替えるスイッチ２１２とを備えている。なお、共通接続ライン２１４はコンデンサ２１０を介して伝送回路２０８に接続される。
【００９６】
スイッチ２１２は、ジャック２０２のプラグ挿入状態に応じて共通接続ライン２１４の接続先を切り替えるものであり、ジャック２０２に無線送信機１０のプラグ１２が挿入された場合にはスイッチ２１２は共通接続ライン２１４の接続先を電源ライン２１６に切り替え、ジャック２０２に無線送信機１０のプラグ１２が挿入されていない場合には共通接続ライン２１４の接続先を信号ライン２１８に切り替える。
【００９７】
以上の構成によれば、音響機器２００Ａのジャック２０２に無線送信機１０のプラグ１２が挿入された場合、スイッチ２１２によって共通接続ライン２１４の接続先が電源ライン２１６に切り替わるので、音響機器２００Ａの電源から充電電流がジャック２０２に供給され、無線送信機１０のプラグ１２を介して二次電池１８の充電が行われる。
【００９８】
一方、音響機器２００Ａのジャック２０２に無線送信機１０のプラグ１２が挿入されていない場合には、スイッチ２１２によって共通接続ライン２１４の接続先が信号ライン２１８に切り替わるので、アンテナ２０６で受信した無線信号は伝送回路２０８で元の音響信号に戻され、伝送回路２０８から出力された音響信号は信号ライン２１８を介して音響信号処理回路２０４に入力される。
【００９９】
このように第４の実施形態によれば、音響機器２００Ａのジャック２０２に無線送信機１０のプラグ１２が挿入された場合には、音響機器２００Ａは無線送信機１０の二次電池１８を充電するための充電電流供給手段として機能する。一方、音響機器２００Ａのジャック２０２に無線送信機１０のプラグ１２が挿入されていない場合には、無線送信機１０との間で無線通信を行う無線通信手段として機能する。これにより、音響システム１の使用時（電気楽器１００の演奏時等）においては、無線送信機１０は接続対象機器である電気楽器１００と接続された状態で使用され、無線送信機１０の二次電池１８を充電する際には無線送信機１０は充電電流供給手段として機能する音響機器２００Ａと接続された状態で使用される。したがって、無線通信装置や充電器を接続対象機器と一体で管理でき、充電器の紛失を確実に防止することができる。
【０１００】
なお、第４の実施形態では、一例として、音響機器２００Ａが無線受信機及び充電器としての機能を兼ね備えた場合を示したが、これに限らず、電気楽器１００が無線送信機及び充電器としての機能を兼ね備えたものであってもよい。
【０１０１】
以上、本発明の実施形態について説明したが、本発明は、以上の例には限定されず、本発明の要旨を逸脱しない範囲において、各種の改良や変形を行ってもよいのはもちろんである。
【符号の説明】
【０１０２】
１…音響システム、１０…無線送信機、１０Ａ…無線送信機、１２…プラグ、１４…アンテナ、１６…伝送回路、１８…二次電池、２０…コンデンサ、２２…高周波チョークコイル、２４…ダイオード、２６…正極ライン、２８…負極ライン、２９…監視ライン、３０…無線受信機、３０Ａ…無線受信機、３０Ｂ…無線受信機、３２…プラグ、３４…アンテナ、３６…伝送回路、３８…二次電池、４０…コンデンサ、４２…高周波チョークコイル、４４…ダイオード、４６…正極ライン、４８…負極ライン、４９…監視ライン、５０…充電器、５０Ａ…充電器、５２…ジャック、５４…ジャック、５６…電源回路、５８…プラグ、６０…接続ライン、６２…電源ライン、６４…信号ライン、６６…スイッチ、７０…ジャック、７２…プラグ、７４…電源回路、７６…スイッチ、７８…電源ライン、８０…信号ライン、８２…接続ライン、１００…電気楽器、１０２…ジャック、１０４…音響信号発生回路、２００…音響機器、２００Ａ…音響機器、２０２…ジャック、２０４…音響信号処理回路、２０６…アンテナ、２０８…伝送回路、２１０…コンデンサ、２１２…スイッチ、２１４…接続ライン、２１６…電源ライン、２１８…信号ライン
【図１】
2017103713.tif 000003
【図２】
2017103713.tif 000004
【図３】
2017103713.tif 000005
【図４Ａ】
2017103713.tif 000006
【図４Ｂ】
2017103713.tif 000007
【図５Ａ】
2017103713.tif 000008
【図５Ｂ】
2017103713.tif 000009
【図６Ａ】
2017103713.tif 000010
【図６Ｂ】
2017103713.tif 000011
【図７】
2017103713.tif 000012
【図８】
2017103713.tif 000013
【図９】
2017103713.tif 000014
【図１０】
2017103713.tif 000015
【図１１】
2017103713.tif 000016
【図１２】
2017103713.tif 000017
【図１３】
2017103713.tif 000018